【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】
第一の光伝送路を伝送される光信号を監視する第一の光検出器と、
第二の光伝送路を伝送される光信号を監視する第二の光検出器と、
前記第一伝送路又は前記第二の光伝送路の光信号のいずれかを選択して出力する光スイッチと、
前記光スイッチを経て受信した信号の性能監視を行う性能監視器と、
前記第一及び第二の光検出器及び前記性能監視器からの情報に基づき、前記光スイッチを切り替えるための制御コントローラとを備えることを特徴とする光１＋１切替装置。
【請求項２】
請求項１に記載の光１＋１切替装置において、前記第一の光伝送路を運用系、前記第二の光伝送路を非運用系として使用している場合に、
前記制御コントローラは、前記光スイッチに切替要求を送信し、
前記光スイッチは、前記切替要求に従い、前記第二の光伝送路から前記第一の光伝送路へ切り替え、
前記性能監視器は、前記第一の光伝送路についての性能監視結果を、前記制御コントローラへ送信し、
前記制御コントローラは、前記性能監視器から性能監視結果を受信すると、前記光スイッチに切替要求を送信し、
前記光スイッチは、前記切替要求に従い、前記第一の光伝送路から前記第二の光伝送路へ切り替えることにより、運用系の使用中に所定時間だけ非運用系を監視するようにした光１＋１切替装置。
【請求項３】
請求項２に記載の光１＋１切替装置において、運用系である前記第一の光伝送路に障害が発生した場合に、
前記性能監視器又は前記第一の光検出器は、前記制御コントローラへ異常警報を送信し、
前記制御コントローラは前記異常警報を受信すると、非運用系である前記第二の光伝送路の前記監視の結果から前記第二伝送路に異常がないと判定された場合に、前記前記光スイッチに切替要求を送信することを特徴とする光１＋１切替装置。
【請求項４】
請求項１乃至３に記載の光１＋１切替装置において、
前記制御コントローラは前記性能監視器、前記第一の光検出器又は前記第二の光検出器からの異常警報に基づいて伝送路の異常の有無を検出し、前記異常の有無の情報を保持することを特徴とする光１＋１切替装置。
【請求項５】
前記制御コントローラと通信を行い、性能・警報の監視又は装置の制御を行う管理システムをさらに備え、
前記管理システムは、所定時間、前記光スイッチの切替え時から所定周期、要求回数に応じた時間・周期等の所定のタイミングで、非運用系の伝送路の状態を確認するためのチェック要求を前記制御コントローラへ送信し、
前記制御コントローラは、前記チェック要求に応じて前記光スイッチへ切替要求を送信することを特徴とする請求項１乃至４のいずれかに記載の光１＋１切替装置。
【請求項６】
前記第一の光伝送路からの光信号を、前記光スイッチまたはポートのいずれかに出力するモニタ用光スイッチをさらに有し、
前記ポートには、前記第一の光伝送路が運用系に用いられていないときに、前記モニタ用光スイッチの切替制御により前記第一の光伝送路の信号が出力されることを特徴とする請求項１乃至５のいずれかに記載の光１＋１切替装置
【請求項７】
前記第一の光伝送路からの光信号を、前記光スイッチまたは第一のポートのいずれかに出力する第一のモニタ用光スイッチと、
前記第二の光伝送路からの光信号を、前記光スイッチまたは第二のポートのいずれかに出力する第二のモニタ用光スイッチとをさらに有し、
前記第一のポートには、前記第一の光伝送路が運用系に用いられていないときに、前記第一のモニタ用光スイッチの切替制御により前記第一の光伝送路の信号が出力され
前記第二のポートには、前記第二の光伝送路が運用系に用いられていないときに、前記第二のモニタ用光スイッチの切替制御により前記第二の光伝送路の信号が出力されることを特徴とする請求項１乃至５のいずれかに記載の光１＋１切替装置
【請求項８】
前記光スイッチは２入力２出力の光スイッチであり、前記２入力にはそれぞれ前記第一の光伝送路の光信号または前記第二の光伝送路の光信号のいずれかが入力され、前記２出力のうち1つの出力からの光信号は前記性能監視器が受信し、もう1つの出力からの光信号はポートへ送信されることを特徴とする請求項１乃至５のいずれかに記載の光１＋１切替装置。
【請求項９】
前記ポートに接続された非運用系の伝送路を監視するための光信号受信器及び受信信号性能監視器をさらに備えたことを特徴とする請求項５乃至７のいずれかに記載の光１＋１切替装置。
【請求項１０】
前記制御コントローラは、上流側へ光スイッチ経路選択情報を送信し、下流から送付された光スイッチ経路選択情報に基づいて、第一伝送路又は第二伝送路のいずれかが運用系かを表示することを特徴とする請求項１乃至９に記載の光１＋１切替装置。
【請求項１１】
第一の光伝送路を伝送される光信号を電気信号に変換して性能監視を行ない、当該電気信号を再び光信号に変換して出力する第一の性能監視器と、
第二の光伝送路を伝送される光信号を電気信号に変換して性能監視を行ない、当該電気信号を再び光信号に変換して出力する第二の性能監視器と、
前記第一の光伝送路を伝送される光信号の大きさを監視する第一の光検出器と、
前記第二の光伝送路を伝送される光信号の大きさを監視する第二の光検出器と、
前記第一の光伝送路を伝送される光信号と前記第二の光伝送路を伝送される光信号のいずれかを選択する光スイッチと、
前記第一の性能監視器および前記第一の光検出器、ならびに前記第二の性能監視器および前記第二の光検出器による光信号の監視の結果に応じて、前記第一の伝送路または前記第二の伝送路を選択するよう前記光スイッチを制御する制御コントローラとを有することを特徴とする光１＋１切替装置。
【請求項１２】
第一の光伝送路を伝送される光信号を電気信号に変換して性能監視を行ない、前記性能監視の結果前記第一の伝送路に異常ありと判断した場合には当該光信号を遮断し、前記第一の光伝送路に異常なしと判断した場合には当該電気信号を再び光信号に変換して出力する第一の性能監視器と、
第二の光伝送路を伝送される光信号を電気信号に変換して性能監視を行ない、前記性能監視の結果前記第二の伝送路に異常ありと判断した場合には当該光信号を遮断し、前記第二の光伝送路に異常なしと判断した場合には当該電気信号を再び光信号に変換して出力する第二の性能監視器と、
前記第一の性能監視器からの光信号の大きさを監視する第一の光検出器と、
前記第二の性能監視器からの光信号の大きさを監視する第二の光検出器と、
前記第一の光伝送路を伝送される光信号と前記第二の光伝送路を伝送される光信号のいずれかを選択する光スイッチと、
前記第一の光検出器、ならびに前記第二の光検出器による光信号の監視の結果に応じて、前記第一の伝送路または前記第二の伝送路を選択するよう前記光スイッチを制御する制御コントローラとを有することを特徴とする光１＋１切替装置。
【請求項１３】
第一の光伝送路を伝送される光信号を電気信号に変換して性能監視を行ない、そして当該光信号を遮断することまたは当該電気信号を再び光信号に変換して出力することのいずれかを選択して行なうことができる第一の性能監視器と、
第二の伝送路を伝送される光信号を電気信号に変換して性能監視を行ない、そして当該光信号を遮断することまたは当該電気信号を再び光信号に変換して出力することのいずれかを選択して行なうことができる第二の性能監視器と、
前記第一の性能監視器からの光信号と前記第二の性能監視器からの光信号を合波して出力する光合波器と、
前記第一の性能監視器から前記性能監視の結果を受信し前記第一の伝送路に異常ありと判断した場合には前記第一の性能監視器に対し光信号を遮断するよう信号を送信し、さらに前記第二の性能監視器から前記性能監視の結果を受信し前記第二の伝送路に異常ありと判断した場合には前記第2の性能監視器に対し光信号を遮断するよう信号を送信する制御コントローラとを有することを特徴とする光１＋１切替装置。